(57)【要約】【課題】  遠隔地からの切替制御が可能で、商用電源で安定動作可能であり、小型かつ低消費電力の回線切替装置および回線切替方法を提供する。【解決手段】  電話回線Ａと構内ケーブルＤの間に設置され、電話回線と構内ケーブルとの直接接続および配信サービスを提供するための併設装置を介しての間接接続のいずれかの切替を行う回線切替装置１００おいて、切替制御が可能な自己保持型ラッチングリレーＲＬ１およびＲＬ２と、自己保持型ラッチングリレーを駆動する駆動部１４と、管理装置側から切替制御信号を受信すると、該信号を解析して直接接続および間接接続のいずれかを示す実行命令データを生成し、実行命令データを記憶部１３に記憶させる信号解読部１２２と、記憶部から実行命令データを読取り、該データに基づいて駆動部を制御する命令処理部１２３と、を備える【選択図】        図１
2007189371.tif 000002
【特許請求の範囲】
【請求項１】
電話回線と構内ケーブルの間に設置され、前記電話回線と前記構内ケーブルとの直接接続および配信サービスを提供するための併設装置を介しての間接接続のいずれかの切替を行う回線切替装置おいて、
前記切替制御が可能な自己保持型ラッチングリレーと、
前記自己保持型ラッチングリレーを駆動する駆動部と、
管理装置側から切替制御信号を受信すると、該信号を解析して前記直接接続および間接接続のいずれかを示す実行命令データを生成し、該実行命令データを記憶部に記憶させる信号解読部と、
前記記憶部から実行命令データを読取り、該データに基づいて前記駆動部を制御する命令処理部と、
を備えることを特徴とする回線切替装置。
【請求項２】
前記命令処理部に動作開始させるためのタイミングパルスを定期的に発生するパルス生成部を更に備えることを特徴とする請求項１に記載の回線切替装置。
【請求項３】
前記記憶部は、不揮発性メモリ素子であることを特徴とする請求項１に記載の回線切替装置。
【請求項４】
電話回線と構内ケーブルとを直接接続および配信サービスを提供するための併設装置を介しての間接接続の何れかに切替えるための回線切替方法おいて、
管理装置側からの切替命令の内容を示す切替制御信号を受信すること、
受信した信号を解析し、解析内容を示す実行命令データを生成して記憶させること、
前記記憶されている実行命令データを読出して、該実行命令データに基づいて駆動パルスを生成すること、
該駆動パルスに基づいて自己保持型ラッチングリレーを駆動制御し、該自己保持型ラッチングリレーを動作させて直接接続および間接接続のいずれかに切替ること、
を特徴とする回線切替方法。
【請求項５】
前記記憶されている実行命令データを定期的に読出して、前記自己保持型ラッチングリレーを定期的に切替制御することを特徴とする請求項４に記載の回線切替方法。
【発明の詳細な説明】
【技術分野】
【０００１】
本発明は、回線切替装置および回線切替方法に関し、特に、メタル回線としての電話回線を構内ケーブルと直接接続するかまたは配信サービスを提供するための併置装置を介して間接接続するかのいずれかに切替える回線切替装置および回線切替方法に関するものである。
【背景技術】
【０００２】
メタル回線としての電話回線と構内ケーブルの間に設置された主配電盤において、集合住宅においてメタル回線を用いた配信サービスを実現するために、図６に示すように、前記電話回線と前記構内ケーブルとを直接接続するかまたは配信サービスを提供するための併設装置を介して間接接続するかの配線変更が手作業で行われていた。
【０００３】
電話回線と前記構内ケーブルとを直接接続する場合は、電話回線からの電話信号が構内ケーブルを介して各居住者宅内へ配信される。電話回線と前記構内ケーブルとを間接接続する場合、具体的に、既設されているメタル回線の構内ケーブルを用いて高速ＬＡＮアクセス環境を構築する場合には、高速ＬＡＮアクセスを提供するための併設装置、例えば、集合型ＶＤＳＬ装置やＨｏｍｅＰＮＡ装置を介して間接接続することにより、併設装置からの信号、即ち、電話回線からの電話信号および高速ＬＡＮからの信号が構内ケーブルを介して各居住者宅内へ配送されることにより、電話の通話機能と、併設装置による高速ＬＡＮアクセス機能とを実現してきた。
【特許文献１】特開２００３−１１６１５８号公報
【発明の開示】
【発明が解決しようとする課題】
【０００４】
しかしながら、従来の主配電盤の配線変更が手作業で行なわれることから、下記の問題があった。即ち
１）居住者が入居・転居したとき、居住者の要求に基づいたサービスを受けるため、現地において直接接続と間接接続とを切替えるべく主配電盤の配線変更作業を行う必要があった。
２）従来と異なるサービス事業者からサービスを受ける場合も、新サービスを受けるための併設装置を介する間接接続のため現地の主配線盤の配線変更作業を行う必要があった。
【０００５】
上記した１）と２）の問題を解決するため、遠隔地からの遠隔制御で配線変更を自動で行う自動主配線盤装置が、特許文献１に開示されている。
しかし、該自動主配線盤装置は、交換局用に設計・製作されており、以下に示す理由から集合住宅などへの設置には不向きであった。即ち、
【０００６】
３）切替端子数が２００を超える規模の自動主配線盤装置を集合住宅に設置する場合、商用電源からＡＣ電力の供給を受けるときには、商用電源を直流に変えるＡＣ−ＤＣコンバータの設置が必要となる。
４）自動で配線変更を行うために多数のステッピングモータを使用しており、該ステッピングモータの消費電力が大きかった。
５）交換局用に設計されているので、１９インチラックの設置が必要となる。
【０００７】
そこで、現地での主配線盤の配線変更を遠隔地からの切替制御により自動的に行う装置で、さらに、集合住宅などに設置するため、商用電源（ＡＣ１００ボルト）の入力で動作しかつ低消費電力であり、狭いスペースに設置可能な回線切替装置の開発が望まれていた。
【０００８】
従って、本発明の目的は、遠隔地からの切替制御が可能で、商用電源で安定動作可能であり、小型かつ低消費電力の回線切替装置および回線切替方法を提供することにある。
【課題を解決するための手段】
【０００９】
本発明は、以上の点を解決するために、次の構成を採用する。
〈構成１〉
電話回線と構内ケーブルの間に設置され、電話回線と構内ケーブルとの直接接続および配信サービスを提供するための併設装置を介しての間接接続のいずれかの切替を行う回線切替装置おいて、切替制御が可能な自己保持型ラッチングリレーと、自己保持型ラッチングリレーを駆動する駆動部と、管理装置側から切替制御信号を受信すると、該信号を解析して直接接続および間接接続のいずれかを示す実行命令データを生成し、実行命令データを記憶部に記憶させる信号解読部と、記憶部から実行命令データを読取り、該データに基づいて駆動部を制御する命令処理部と、を備えることを特徴とする。
【００１０】
〈構成２〉
電話回線と構内ケーブルとを直接接続および配信サービスを提供するための併設装置を介しての間接接続の何れかに切替えるための回線切替方法おいて、管理装置側からの切替命令の内容を示す切替制御信号を受信すること、受信した信号を解析し、解析内容を示す実行命令データを生成して記憶させること、記憶されている実行命令データを読出して、実行命令データに基づいて駆動パルスを生成すること、駆動パルスに基づいて自己保持型ラッチングリレーを駆動制御し、自己保持型ラッチングリレーを動作させて直接接続および間接接続のいずれかに切替ること、を特徴とする。
【発明の効果】
【００１１】
本発明によれば、電話回線と構内ケーブルとを直接接続するかまたは配信サービスを提供するための併設装置を介して間接接続するかを切替える切替手段として自己保持型ラッチングリレーを備えており、遠隔地からの実行命令信号を受けると、制御部で該実行命令を解読し、解読内容を示す実行命令データを生成し、該実行命令データを記憶部で保持させており、制御部は、前記自己保持型ラッチングリレーを駆動するタイミングを決定するための駆動タイミングパルスを生成しており、該駆動タイミングパルスに同期して前記記憶部で保持する実行命令データを読出して、該実行命令データに基づいた駆動パルスを生成して駆動部へ出力し、駆動部は受けた駆動パルスに基づいたスイッチングパルスで前記ラッチングリレーを駆動することにより、手作業でなく遠隔制御により直接接続するかまたは間接接続するかの回線切替を行うことができる。
【００１２】
これにより、わざわざ回線切替装置の設置場所である集合住宅へ出向かずに、集合住宅の居住者に移動があったとき、新居住者の要求に基づいたサービスをまたは居住者の要求が変わった場合にも、新要求に基づいたサービスを提供すべく対応することができる。
【００１３】
電話回線と構内ケーブルとを直接接続するかまたは間接接続するかを切替えるために自己保持型ラッチングリレーを備えることにより、消費電力の大きなステッピングモータを使用することなく回線切替装置を構成したので、商用電源で安定動作し、低消費電力且つ狭いスペースにも設置可能な小型の回線切替装置を実現することができる。
【発明を実施するための最良の形態】
【００１４】
本発明の実施形態について、図を用いて詳細に説明する。
【実施例１】
【００１５】
以下、本発明の実施形態について図を用いて詳細に説明する。
実施例１の回線切替装置１００は、図１に示すように、電話回線Ａと構内ケーブルＤの間に設置され、前記電話回線Ａと前記構内ケーブルＤとを直接接続するかまたは併設装置Ｃを介して間接接続するかを切替える。回線切替装置１００は、１回線分としては、切替器部１０Ａとその制御駆動部１０Ｂから構成され、通常の複数回線としては、図２に示すように複数の切替器部１０Ａ、２０Ａ、３０Ａ、・・・とその制御駆動部１０Ｂから構成されている。
【００１６】
以後の説明では、簡単にするために、１回線分の切替器部１０Ａとその制御駆動部１０Ｂ（図１）を説明する。一方、併設装置Ｃとして集合型ＶＤＳＬ（Ｖｅｒｙ  ｈｉｇｈ  ｒａｔｅ  Ｄｉｇｉｔａｌ  Ｓｕｂｓｃｒｉｂｅｒ  Ｌｉｎｅ）装置を用いる例を説明する。
【００１７】
集合型ＶＤＳＬ装置は、集合住宅内まで引き込まれた光ファイバからのサービス用光信号をメディアコンバータが電気信号に変換するので、この電気信号を構内ケーブルＤに出力するとともに電話回線Ａを介して受信した電話信号も出力するので、該構内ケーブルＤを用いて居住者宅内へ電話サービスおよび高速インターネットサービスを提供することができる。
居住者宅内に設置された端末には、高速インターネット回線において当該端末を識別するためのＩＰアドレスが予め付与されている。
なお、併設装置Ｃが集合型ＡＤＳＬ装置であってもよく、その他高速ＬＡＮアクセスを提供する装置であっても良い。
【００１８】
次に、電話回線Ａと構内ケーブルＤとの接続について図１を用いて詳しく説明する。
電話回線Ａは、端子ｈを介して回線切替装置１００内の自己保持型ラッチングリレーＲＬ１内のリレー（ｒｌ１−１およびｒｌ１−２）の接点γ、γにそれぞれ接続されている。ＲＬ１内のリレー（ｒｌ１−１およびｒｌ１−２）の接点α、αは、自己保持型ラッチングリレーＲＬ２内のリレー（ｒｌ２−１およびｒｌ２−２）の接点α、αとそれぞれ接続されている。ＲＬ１内のリレー（ｒｌ１−１およびｒｌ１−２）の接点β、βは、それぞれ併設装置Ｃの入力部Ｃ１に端子ｉを介して接続されている。
【００１９】
併設装置Ｃの出力部Ｃ２は端子ｊを介して、ＲＬ２内のリレー（ｒｌ２−１およびｒｌ２−２）の接点β、βに接続されている。ＲＬ２内のリレー（ｒｌ２−１およびｒｌ２−２）の接点γ、γは、端子ｋを介して構内ケーブルＤに接続されている。
この接続は、電話回線Ａと構内ケーブルＤとが直接接続される状態を示している。
【００２０】
次に、回線切替装置１００へ回線切替を指示するための実行命令信号を送信する管理センタ内の管理装置（図示しない）について説明する。
管理センタ（図示しない）は、集合住宅から離れた遠隔地にあり、管理センタと集合住宅は光ファイバ通信路Ｆで通信可能に接続されている。管理センタの管理装置は、集合住宅に設置された回線切替装置１００を管理するための管理情報を蓄積する管理データベースを備えており、該管理情報は、図３に示されるような構造のテーブル形式のデータである。集合住宅内の居住者の移動などがあり、管理情報に変更がある場合、管理情報が更新される。
【００２１】
管理情報は、図３に示すように、変更に対応する集合住宅名と回線切替装置識別コードおよびスイッチ情報を含む。スイッチ情報は、例えば、居住者が電話サービスおよび高速インターネットサービスを受ける場合、スイッチ情報が「ＯＮ」で、居住者が高速インターネットサービスを受けずに電話サービスのみを利用する場合、スイッチ情報が「ＯＦＦ」となる。
【００２２】
管理センタの管理装置は、管理情報が更新されると、更新された管理情報に基づいて実行命令信号を生成し、該実行命令信号を当該回線切替装置１００へ送信すべく光ファイバ通信路Ｆを介して送出する。
【００２３】
ところで、実行命令信号が示すスイッチ情報ＯＮ／ＯＦＦは、自己保持型ラッチングリレーＲＬ１およびＲＬ２の２つの状態に対応する。即ち、スイッチＯＦＦは、電話回線Ａと構内ケーブルＤとが直接接続される状態を示し、スイッチＯＮは、併設装置Ｃを介して電話回線Ａと構内ケーブルＤとが間接接続される状態を示している。
【００２４】
本実施例では、説明を簡明にするために、以後の説明は、集合住宅の居住者に移動があり、新居住者が電話サービスおよび高速インターネットサービスを受ける例、即ち、実行命令信号のスイッチ情報が「ＯＮ」である場合について行う。
【００２５】
次に、集合住宅内に設けられたメディアコンバータＧは、管理装置から送出された実行命令信号を光ファイバ通信路Ｆを介して受信すると、該実行命令信号の集合住宅名および回線切替装置識別コードに基づいて当該回線切替装置１００への実行命令信号として判定し、選択取得する。選択取得された実行命令信号は、併設装置Ｃおよび通信路Ｅを経由して後述する回線切替装置１００の送受信部１１へ送られる。また、メディアコンバータＧは、光ファイバ通信路Ｆの接続されたサーバ（図示しない）からのＩＰプロトコルに則った高速インターネット信号を受信すると、ＩＰアドレスに基づいて当該居住者宅内に設置された端末への高速インターネット信号か否かを判定し選択取得する。選択取得された高速インターネット信号は、併設装置Ｃおよび構内ケーブルＣを経由して居住者宅内の端末へ送られる。
【００２６】
ここで、実施例１の回線切替装置１００を機能ブロック図（図１）を用いて詳しく説明する。
回線切替装置１００は、上述した自己保持型ラッチングリレーＲＬ１およびＲＬ２以外に、回線切替を指示するための実行命令信号を受信する送受信部１１と、実行命令信号を解読し解読内容を示す実行命令データを生成し、該実行命令データを不揮発性メモリ部（記憶部）１３に格納するとともに不揮発性メモリ部１３から読出した実行命令データに基づいて駆動パルスを出力する制御部１２と、制御部１２から出力された駆動パルスに基づいて自己保持型ラッチングリレーＲＬ１およびＲＬ２を駆動する駆動部１４と、電源投入時などにリセット信号を動作の停止している制御部１２に出力するリセット部１５と、各部へ電力を供給する電源部１６とを備える。
【００２７】
自己保持型ラッチングリレーＲＬ１およびＲＬ２は、機構面では、プリント基板表面の印刷配線上に半田付け固定して電気的に接続を行って使用する表面実装型であり、装置の小型化に適した構造の部品である。また、自己保持型ラッチングリレーＲＬ１およびＲＬ２は、電気性能面において次の実行命令信号を受けるまで前の実行命令信号が示す状態を保持する自己保持型であり、１パルスの駆動でリレーの状態が実行命令信号に基づいて保持される。さらに、自己保持型ラッチングリレーＲＬ１およびＲＬ２は、パルス駆動されるときにのみ電力を消費するので、回線切替装置１００の省電力化に適している。
【００２８】
電源部１６は、商用電源からＡＣ電力を供給されると、ＡＣを整流してＤＣに変換し、該変換されたＤＣ電力を各部に供給するとともに、ＡＣ電力の一部をリセット部１５へ供給している。
【００２９】
送受信部１１は、メディアコンバータＧで選択取得された実行命令信号を受けると、該実行命令信号を制御部１２へ送る。
【００３０】
制御部１２は、自己保持型ラッチングリレーＲＬ１およびＲＬ２を駆動するための駆動タイミングパルスを生成するパルス生成部１２１と、送受信部１１からの実行命令信号を解読し、解読された内容を示す実行命令データを生成し、該実行命令データを不揮発性メモリ部１３に格納する実行命令解読部（信号解読部）１２２と、不揮発性メモリ部１３に保持されている実行命令データを読出し、該実行命令データに基づいて生成された駆動パルスを上記駆動タイミングパルスに同期させて駆動部１４へ出力する実行命令処理部（命令処理部）１２３とを備える。
【００３１】
パルス生成部１２１は、当該装置１００に加わる衝撃などを原因として自己保持型ラッチングリレーＲＬ１およびＲＬ２が誤動作し、不揮発性メモリ部１３に保持されている実行命令データと異なる状態に陥ったとしても、この状態から自己保持型ラッチングリレーＲＬ１およびＲＬ２を回復させるべくＴ秒ごとに駆動するために、Ｔ秒ごとにパルス幅ｔ（ｔ＜Ｔ）秒の駆動タイミングパルスを生成している。
生成された駆動タイミングパルスは、実行命令処理部１２３へ出力される。
【００３２】
実行命令解読部１２２は、送受信部１１から実行命令信号を受けると、該実行命令を解読し、上述したようにスイッチ情報が「ＯＮ」であることから、回線切替装置識別コードおよびスイッチ情報「ＯＮ」を含む実行命令データを生成する。そして、実行命令解読部１２２は、生成した実行命令データを不揮発性メモリ部１３へ格納する。
【００３３】
不揮発性メモリ部１３は、制御部１２の実行命令解読部１２２からスイッチ情報「ＯＮ」を含む実行命令データを受けると、該実行命令データを所定の格納先アドレスに保持するとともに、電源投入時および地震発生時などにラッチングリレーＲＬ１およびＲＬ２の初期化のための初期化実行データを保持している。
初期化実行データは、回線切替装置識別コードおよびスイッチ情報を含み、スイッチ情報は「ＯＦＦ」を示す。
【００３４】
実行命令処理部１２３は、パルス生成部１２１から駆動タイミングパルスを受けると、不揮発性メモリ部１３に格納されているスイッチ情報「ＯＮ」を含む実行命令データを読出して、読出されたスイッチ情報「ＯＮ」を含む実行命令データに基づいて駆動パルスを生成し、該駆動パルスを駆動部１４へ出力する。
【００３５】
駆動部１４は、実行命令処理部１２３から「ＯＮ」対応の駆動パルスを受けると、該駆動パルスを電力増幅し、増幅されたスイッチングパルスを得て、該スイッチングパルスで自己保持型ラッチングリレーＲＬ１およびＲＬ２を駆動する。駆動された自己保持型ラッチングリレーＲＬ１およびＲＬ２は、接点γ、γと接点α、αとが接続していた状態から、接点γ、γと接点β、βとが接続する状態に切替る。この切替により、直接接続から間接接続へと切替えられる。即ち、電話回線Ａと構内ケーブルＤとの直接接続から併設装置Ｃを介して電話回線Ａと構内ケーブルＤとが接続される間接接続へと切替が行なわれる。
なお、実行命令処理部１２３は、その後に上述したようにＴ秒毎に駆動タイミングパルスを受けるので、実行命令データを読出し駆動パルスを生成し、該駆動パルスを駆動部１４に出力する。
【００３６】
次に、回線切替装置１００の電源投入時または停電復旧時には、リセット部１５は、当該装置１００へ入力されるＡＣ電源電圧の値を監視しており、該ＡＣ電圧値が予め定められた値を超えたとき、リセット信号を生成し、制御部１２へ出力する。
【００３７】
制御部１２は、リセット部１５からリセット信号を受けると、パルス生成部１２１と、実行命令解読部１２２とを作動させるとともに、実行命令処理部１２３で初期化処理を行わせる。即ち、実行命令処理部１２３は、不揮発性メモリ部１３に予め保持されていた初期化処理のための初期化実行データを読出し、読出されたスイッチ情報「ＯＦＦ」を含む初期化実行データに基づいた初期化駆動パルスを駆動部１４へ出力する。
【００３８】
駆動部１４は、実行命令処理部１２３から初期化駆動パルスを受けると、該駆動パルスを電力増幅し、増幅されたスイッチングパルスで自己保持型ラッチングリレーＲＬ１およびＲＬ２を駆動する。駆動された自己保持型ラッチングリレーＲＬ１およびＲＬ２は、いずれの接続状態であっても、初期状態（直接接続）へと切替えられる。初期状態へ切替えられると、実行命令処理部１２３は、Ｔ秒ごとに駆動タイミングパルスを受信して不揮発性メモリ部１３に保持されている実行命令データを読出し、該実行命令データに基づいて駆動パルスを生成する。生成された駆動パルスは駆動部１４へ出力される。駆動部１４は、駆動パルスを受けると、該駆動パルスに基づいて上述したように自己保持型ラッチングリレーＲＬ１およびＲＬ２を駆動する。
【００３９】
実施例１の回線切替装置１００の動作を図４のフローチャートに沿って説明する。
回線切替装置１００は、ＡＣ電源が投入されてリセットが完了し初期状態（直接接続）に切替られており、スイッチ情報「ＯＮ」を示す実行命令信号が、管理センタの管理装置から当該装置１００へ送信された例を説明する。
送受信部１１は、併設装置Ｃおよび通信路Ｅを介してメディアコンバータＧで選択取得された実行命令信号を受信すると、該実行命令信号を制御部１２へ出力する（ステップＳ４０１）。
実行命令信号を受けた制御部１２において、実行命令解読部１２２は該実行命令を解読し、該スイッチ情報「ＯＮ」を示す実行命令データを生成する（ステップＳ４０２）。実行命令解読部１２２は、生成した実行命令データを不揮発性メモリ部１３に格納する（ステップＳ４０３）。
【００４０】
駆動タイミングパルスを受信すると（ステップＳ４０４）、実行命令処理部１２３は不揮発性メモリ部１３に保持されている実行命令データを読出し（ステップＳ４０５）、該実行命令データに基づいて駆動パルスを生成する。生成された駆動パルスは駆動部１４へ出力される。
【００４１】
駆動部１４は、実行命令処理部１２３から駆動パルスを受けると、該駆動パルスを電力増幅し、増幅されたスイッチングパルスを得て、該スイッチングパルスで自己保持型ラッチングリレーＲＬ１およびＲＬ２を駆動する（ステップＳ４０６）。
自己保持型ラッチングリレーＲＬ１およびＲＬ２は、この駆動により直接接続から間接接続へと切替えられる。即ち、電話回線Ａと構内ケーブルＤとの直接接続から併設装置Ｃを介して電話回線Ａと構内ケーブルＤとが接続される間接接続へと切替が行なわれる。
【００４２】
ところで、強い地震があったとき、管理センタの管理装置は、集合住宅に設置された回線切替装置１００の自己保持型ラッチングリレーが誤動作する虞があることから、該自己保持型ラッチングリレーを遠隔制御により誤動作から回復させるべく回線切替装置１００を初期化するための初期化命令信号を回線切替装置１００へ光ファイバ通信路Ｆを介して送出する。回線切替装置１００の送受信部１１が前記管理装置から送出された初期化命令信号を受信すると、実行命令解読部１２２は初期化命令信号を解読し、初期化命令を実行命令処理部１２３に出力する。
【００４３】
実行命令処理部１２３は、実行命令解読部１２２から初期化命令を受けると、不揮発性メモリ部１３に予め保持されている初期化のための初期化実行データを読出し、該初期化実行データに基づいて初期化駆動パルスを駆動部１４へ出力する。
【００４４】
駆動部１４は、実行命令処理部１２３から初期化駆動パルスを受けると、該駆動パルスを電力増幅し、増幅されたスイッチングパルスを得て、該スイッチングパルスで自己保持型ラッチングリレーＲＬ１およびＲＬ２を駆動する。駆動された自己保持型ラッチングリレーＲＬ１およびＲＬ２は、いずれの接続状態であっても、初期状態（直接接続）へと切替えられる。初期状態へ切替えられると、実行命令処理部１２３は、Ｔ秒ごとに駆動タイミングパルスを受信して不揮発性メモリ部１３に保持されている実行命令データを読出し、該実行命令データに基づいて駆動パルスを生成する。生成された駆動パルスは駆動部１４へ出力される。駆動部１４は、駆動パルスを受けると、該駆動パルスに基づいて上述したように自己保持型ラッチングリレーＲＬ１およびＲＬ２を駆動する。
【００４５】
実施例１の回線切替装置１００によれば、電話回線Ａと構内ケーブルＤとを直接接続するかまたは併設装置Ｃとしての集合型ＶＤＳＬを介して間接接続するかを切替える切替手段として自己保持型ラッチングリレーＲＬ１およびＲＬ２を備えており、遠隔地からの実行命令信号を受けると、制御部１２で該実行命令信号を解読し、解読内容を示す実行命令データを生成し、該実行命令データを停電時もデータ消失しない不揮発性メモリ部１３で保持させており、制御部１２は、駆動タイミングパルスを受けると不揮発性メモリ部１３に保持されている実行命令データを読出して、読出した実行命令データに基づいた駆動パルスを駆動部１４へ出力し、駆動部１４で駆動パルスを増幅しスイッチングパルスを得て、該スイッチングパルスで前記ラッチングリレーＲＬ１およびＲＬ２を駆動して、直接接続するかまたは間接接続するかを切替えることにより、手作業でなく遠隔制御により回線切替を行うことができる。
【００４６】
このことから、わざわざ回線切替装置１００の設置場所である集合住宅へ出向かずとも、集合住宅の居住者に移動がある場合、新居住者の要求に基づいたサービスをまたは居住者の要求が変わった場合にも、新要求に基づいたサービスを居住者に提供すべく対応することができる。
【００４７】
また、併設装置Ｃとしての集合型ＶＤＳＬを介して間接接続することから、居住者宅内へメタル回線である構内ケーブルＤを用いて電話サービスおよび高速インターネットサービスを提供することができる。
【００４８】
電話回線Ａと構内ケーブルＤとを直接接続するかまたは間接接続するかを切替えるために自己保持型ラッチングリレーＲＬ１およびＲＬ２を備えることにより、消費電力の大きなステッピングモータを使用することなく回線切替装置１００を構成したので、商用ＡＣ電源で安定動作し、低消費電力且つ小型の回線切替装置を実現することができる。
【００４９】
また、図５に示すように、不揮発性メモリ部１３に保持されている実行命令データに基づき同一状態であってもＴ秒ごとにラッチングリレーＲＬ１およびＲＬ２をパルス駆動することより、当該装置１００に加わる衝撃などを原因としてラッチングリレーＲＬ１およびＲＬ２が誤動作し、不揮発性メモリ部１３に保持されている実行命令データと異なる状態に陥ったとしても、Ｔ秒ごとに実行命令データに基づいたパルスで駆動するために、ラッチングリレーＲＬ１およびＲＬ２を誤動作から復旧させ、正確で安定した切替状態を保持することができる。
【００５０】
さらに、ＡＣ電源投入時にまたはＡＣ電源の停電復旧時に該ラッチングリレーＲＬ１およびＲＬ２の状態を初期化した後、不揮発性メモリ部１３に保持されている実行命令データに基づきＴ秒ごとにラッチングリレーＲＬ１およびＲＬ２をパルス駆動することより、特別な装置を付加すること無く、ＡＣ電源の停電、瞬停を原因とするラッチングリレーＲＬ１およびＲＬ２の誤動作を排除し、正確で安定した切替状態を保持することができる。
このため、回線切替装置１００によれば、集合住宅において無停電電源装置を用いること無く、ＡＣ電源の停電、瞬停が発生しても連続して使用することができる。
【産業上の利用可能性】
【００５１】
以上の実施例１では、遠隔地からの実行命令信号は光ファイバ通信路Ｆを介してメディアコンバータＧおよび併設装置ＣであるＶＤＳＬ装置を経由して送受信部１１へ送られている例で説明したが、送受信部１１に変復調装置（モデム）を内蔵し、通信路Ｅに外付けの変復調装置を設置して遠隔地との通信路を形成してもよい。
【００５２】
実施例１では、実行命令解読部１２２で生成された実行命令データを不揮発性メモリ部１３へ送信し、旧データが格納されていた格納先アドレスに上書する例で説明したが、これに限定されることはなく、過去の実行命令データも保存し、履歴データとして活用してもよい。
【図面の簡単な説明】
【００５３】
【図１】本発明の回線切替装置の機能ブロック図（１回線分）である。
【図２】本発明の回線切替装置の機能ブロック図（複数回線分）である。
【図３】管理データベースに蓄積される管理情報の１例である。
【図４】本発明の回線切替装置のフローチャートである。
【図５】本回線切替装置の状態推移とラッチングリレーの駆動を示す図である。
【図６】従来例における併置装置の接続例である。
【符号の説明】
【００５４】
１００    回線切替装置
１０Ａ    切替器部
１０Ｂ    制御駆動部
１１      送受信部
１２      制御部
１２１    パルス生成部
１２２    実行命令解読部
１２３    実行命令処理部
１３      不揮発性メモリ部
１４      駆動部
１５      リセット部
１６      電源部
２０Ａ    切替器部
３０Ａ    切替器部
Ａ        電話回線
Ｃ        併設装置
Ｃ１      入力部
Ｃ２      出力部
Ｄ        構内ケーブル
Ｅ        通信路
Ｆ        光ファイバ通信路
Ｇ        メディアコンバータ
ｈ〜ｌ    端子
ＲＬ１、ＲＬ２    自己保持型ラッチングリレー
【図１】
2007189371.tif 000003
【図２】
2007189371.tif 000004
【図３】
2007189371.tif 000005
【図４】
2007189371.tif 000006
【図５】
2007189371.tif 000007
【図６】
2007189371.tif 000008